(57)【要約】【課題】２つ以上の表示パネルを並設して構成される表示装置において、表示パネル同士のつなぎ目を目立たなくし、表示画像の品質を向上させる。【解決手段】  少なくとも一つの自発光型の第１表示パネルと、少なくとも一つの非自発光型の第２表示パネルとを備え、前記第１表示パネルの背面の一部と前記第２表示パネルの表示面の一部とが互いに対向して重畳する重畳部を有する表示装置であって、前記第１表示パネルと前記第２表示パネルとは、表示領域と前記表示領域を囲う非表示領域とを有し、前記重畳部における前記第１表示パネルの前記非表示領域は、前記第２表示パネルの前記表示領域と重畳し、前記重畳部における前記第２表示パネルの前記非表示領域は、前記第１表示パネルの前記表示領域と重畳することを特徴とする表示装置。【選択図】  図１
2011033971.tif 000002
【特許請求の範囲】
【請求項１】
少なくとも一つの自発光型の第１表示パネルと、少なくとも一つの非自発光型の第２表示パネルとを備え、
前記第１表示パネルの背面の一部と前記第２表示パネルの表示面の一部とが互いに対向して重畳する重畳部を有する表示装置であって、
前記第１表示パネルと前記第２表示パネルとは、表示領域と前記表示領域を囲う非表示領域とを有し、
前記重畳部における前記第１表示パネルの前記非表示領域は、前記第２表示パネルの前記表示領域と重畳し、
前記重畳部における前記第２表示パネルの前記非表示領域は、前記第１表示パネルの前記表示領域と重畳することを特徴とする表示装置。
【請求項２】
少なくとも一つの自発光型の第１表示パネルと、少なくとも一つの非自発光型の第２表示パネルとを備え、
前記第１表示パネルと前記第２表示パネルとを回動可能に支持する少なくとも一つの枢支手段を有する表示装置であって、
前記第１表示パネルと前記第２表示パネルとは、表示領域と前記表示領域を囲う非表示領域とを有し、
前記第１表示パネルと前記第２表示パネルとの配置状態は、少なくとも第１の配置状態を有し、
前記第１の配置状態は、前記第１表示パネルの背面の一部と前記第２表示パネルの表示面の一部とが互いに対向して重畳する重畳部を有し、
前記第１の配置状態において、前記重畳部における前記第１表示パネルの前記非表示領域は、前記第２表示パネルの前記表示領域と重畳し、且つ前記重畳部における前記第２表示パネルの前記非表示領域は、前記第１表示パネルの前記表示領域と重畳することを特徴とする表示装置。
【請求項３】
前記重畳部における前記第２表示パネルの前記表示領域に表示する表示画像は、前記第１表示パネルの非表示領域を透過して表示させることを特徴とする請求項１又は請求項２に記載の表示装置。
【請求項４】
前記重畳部において、前記第１表示パネルの前記表示領域と前記非表示領域との境界部は、前記第２表示パネルの前記表示領域と前記非表示領域との境界部と一致することを特徴とする請求項１から請求項３のいずれか１項に記載の表示装置。
【請求項５】
２個の前記第１表示パネルと１個の前記第２表示パネルとを有し、
前記第２表示パネルの互いに対向する２辺の各々の側に、前記第１表示パネルが配置されていることを特徴とする請求項１から請求項４のいずれか１項に記載の表示装置。
【請求項６】
２個の前記第２表示パネルと１個の前記第１表示パネルとを有し、
前記第１表示パネルの互いに対向する２辺の各々の側に、前記第２表示パネルが配置されていることを特徴とする請求項１から請求項４のいずれか１項に記載の表示装置。
【請求項７】
前記枢支手段は、前記第１表示パネルの背面側に配置されると共に、前記第２表示パネルの端部に配置されていることを特徴とする請求項２に記載の表示装置。
【請求項８】
前記第１表示パネルと前記第２表示パネルとの配置状態は、前記第１表示パネルの背面側と前記第２表示パネルの背面側とが対向して配置される第２の配置状態を有することを特徴とする請求項７に記載の表示装置。
【請求項９】
前記枢支手段は、前記第２表示パネルの表示面側に配置されると共に、前記第１表示パネルの端部に配置されていることを特徴とする請求項２に記載の表示装置。
【請求項１０】
前記第１表示パネルと前記第２表示パネルとの配置状態は、前記第１表示パネルの表示面側と前記第２表示パネルの表示面側とが対向して配置される第３の配置状態を有することを特徴とする請求項９に記載の表示装置。
【請求項１１】
前記第２の表示パネルの表示面のうち、前記重畳部以外の領域に光を透過する透過板が配置されていることを特徴とする請求項１から請求項１０のいずれか１項に記載の表示装置。
【請求項１２】
前記第１の表示パネルは透明基板を有し、
前記透過板と前記透明基板とは、屈折率が略等しいことを特徴とする請求項１１に記載の表示装置。
【請求項１３】
前記透過板の厚さは、前記第１の表示パネルの厚さと略等しいことを特徴とする請求項１１又は請求項１２に記載の表示装置。
【請求項１４】
前記第１の表示パネルは有機ＥＬパネルであり、前記第２の表示パネルは液晶パネルであることを特徴とする請求項１から請求項１３のいずれか１項に記載の表示装置。
【発明の詳細な説明】
【技術分野】
【０００１】
本発明は、表示装置に係わり、特に、２つ以上の表示パネルを折り畳み可能に支持してなる折り畳み式の表示領域に関する。
【背景技術】
【０００２】
近年、携帯電話やＰＡＤ等の携帯型電子機器の性能向上に伴い、従来ではパソコン等の比較的大きな表示装置を備えた情報機器のみで扱っていた情報を、携帯型電子機器で扱えるようした装置の開発が盛んに行われている。
【０００３】
これらの携帯型電子機器では、装置本体の大きさと同じ程度の表示装置を備える構成となっているので、表示装置の大きさは限られた大きさとなり、従来の据え置き型の情報処理装置等に接続される表示装置に比較するとその表示可能な領域が小さいものである。このため、小型の表示装置で大きな画面表示を可能とする技術として、２つ以上の表示装置を並設して配置すると共に、並設された複数個の表示を単一の表示装置として画像表示を可能とする技術が開発されている。
【０００４】
この技術として、例えば、特許文献１及び特許文献２に記載の表示装置があった。この特許文献１には、折り目での画像の不連続性を除去するため、折り目の近傍両側の画像を折り目の真上で虚像として見えるように、画像から発した光を屈折させるフィルターを備える液晶表示装置が開示されている。一方、特許文献２には、液晶パネルとＥＬパネルを用いた表示装置で、液晶パネルが回転可能に連結されていると共に、ＥＬパネルの表示面側に液晶パネルを配置する構成とし、両パネルが閉じられた状態ではＥＬパネルを液晶パネルの光源とし、展開された状態では両画面に画像表示を行う表示装置が開示されている。
【先行技術文献】
【特許文献】
【０００５】
【特許文献１】特開２００３−５０５５４号公報
【特許文献２】特開２００４−２１０４４号公報
【発明の概要】
【発明が解決しようとする課題】
【０００６】
しかしながら、特許文献１に記載の技術では、折り目の近傍すなわち隣接領域部分に虚像を結像させる構成となっているので、視線方向によって虚像の結像位置が変化してしまい、画像が変形してしまうとう問題がある。さらには、折り目近傍にフィルターを配置する必要があるので、当該部分が厚くなり表示装置が大きくなってしまうという問題がある。
【０００７】
一方、液晶表示装置は対向配置される一対のガラス基板で液晶を挟持する構成となっているので、表示領域の周り（非表示領域）にはガラス基板の固定と液晶の封入とを行う封止材が形成されている。このため、液晶表示装置の非表示領域では背面側から表示面側への光の透過が遮蔽されている。従って、特許文献２に記載の構成では、液晶パネルとＥＬパネルと配置して１つ分の表示画面を形成した場合、液晶パネルの非表示領域に対応した画像の不連続部分がラインとなり、表示品質が大幅に低下してしまうという問題があった。
【０００８】
本発明はこれらの問題点に鑑みてなされたものであり、本発明の目的は、２つ以上の表示パネルを並設して構成される表示装置において、表示パネル同士のつなぎ目を目立たなくし、表示画像の品質を向上させることが可能な技術を提供することにある。
【課題を解決するための手段】
【０００９】
本願において開示される発明のうち、代表的なものの概要を簡単に説明すれば、下記の通りである。
【００１０】
（１）少なくとも一つの自発光型の第１表示パネルと、少なくとも一つの非自発光型の第２表示パネルとを備え、前記第１表示パネルの背面の一部と前記第２表示パネルの表示面の一部とが互いに対向して重畳する重畳部を有する表示装置であって、前記第１表示パネルと前記第２表示パネルとは、表示領域と前記表示領域を囲う非表示領域とを有し、前記重畳部における前記第１表示パネルの前記非表示領域は、前記第２表示パネルの前記表示領域と重畳し、前記重畳部における前記第２表示パネルの前記非表示領域は、前記第１表示パネルの前記表示領域と重畳することを特徴とする。
【００１１】
（２）少なくとも一つの自発光型の第１表示パネルと、少なくとも一つの非自発光型の第２表示パネルとを備え、前記第１表示パネルと前記第２表示パネルとを回動可能に支持する少なくとも一つの枢支手段を有する表示装置であって、前記第１表示パネルと前記第２表示パネルとは、表示領域と前記表示領域を囲う非表示領域とを有し、前記第１表示パネルと前記第２表示パネルとの配置状態は、少なくとも第１の配置状態を有し、前記第１の配置状態は、前記第１表示パネルの背面の一部と前記第２表示パネルの表示面の一部とが互いに対向して重畳する重畳部を有し、前記第１の配置状態において、前記重畳部における前記第１表示パネルの前記非表示領域は、前記第２表示パネルの前記表示領域と重畳し、且つ前記重畳部における前記第２表示パネルの前記非表示領域は、前記第１表示パネルの前記表示領域と重畳することを特徴とする。
【００１２】
（３）（１）又は（２）において、前記重畳部における前記第２表示パネルの前記表示領域に表示する表示画像は、前記第１表示パネルの非表示領域を透過して表示させることを特徴とする。
【００１３】
（４）（１）から（３）において、前記重畳部において、前記第１表示パネルの前記表示領域と前記非表示領域との境界部は、前記第２表示パネルの前記表示領域と前記非表示領域との境界部と一致することを特徴とする。
【００１４】
（５）（１）から（４）において、２個の前記第１表示パネルと１個の前記第２表示パネルとを有し、前記第２表示パネルの互いに対向する２辺の各々の側に、前記第１表示パネルが配置されていることを特徴とする。
【００１５】
（６）（１）から（４）において、２個の前記第２表示パネルと１個の前記第１表示パネルとを有し、前記第１表示パネルの互いに対向する２辺の各々の側に、前記第２表示パネルが配置されていることを特徴とする。
【００１６】
（７）（２）において、前記枢支手段は、前記第１表示パネルの背面側に配置されると共に、前記第２表示パネルの端部に配置されていることを特徴とする。
【００１７】
（８）（７）において、前記第１表示パネルと前記第２表示パネルとの配置状態は、前記第１表示パネルの背面側と前記第２表示パネルの背面側とが対向して配置される第２の配置状態を有することを特徴とする。
【００１８】
（９）（２）において、前記枢支手段は、前記第２表示パネルの表示面側に配置されると共に、前記第１表示パネルの端部に配置されていることを特徴とする。
【００１９】
（１０）（９）において、前記第１表示パネルと前記第２表示パネルとの配置状態は、前記第１表示パネルの表示面側と前記第２表示パネルの表示面側とが対向して配置される第３の配置状態を有することを特徴とする。
【００２０】
（１１）（１）から（１０）において、前記第２の表示パネルの表示面のうち、前記重畳部以外の領域に光を透過する透過板が配置されていることを特徴とする。
【００２１】
（１２）（１１）において、前記第１の表示パネルは透明基板を有し、前記透過板と前記透明基板とは、屈折率が略等しいことを特徴とする。
【００２２】
（１３）（１１）又は（１２）において、前記透過板の厚さは、前記第１の表示パネルの厚さと略等しいことを特徴とする。
【００２３】
（１４）（１）から（１３）において、前記第１の表示パネルは有機ＥＬパネルであり、前記第２の表示パネルは液晶パネルであることを特徴とする。
【発明の効果】
【００２４】
本発明によれば、２つ以上の表示パネルを並設して構成される表示装置において、表示パネル同士のつなぎ目を目立たなくし、表示画像の品質を向上させることができる。
【００２５】
本発明のその他の効果については、明細書全体の記載から明らかにされる。
【図面の簡単な説明】
【００２６】
【図１】本発明の実施形態１の表示装置の全体構成を説明するための上面図である。
【図２】本発明の実施形態１の表示装置を構成する液晶表示装置の構成を説明するための図である。
【図３】本発明の実施形態１の表示装置を構成する有機ＥＬ表示装置の構成を説明するための図である。
【図４】本発明の実施形態１の表示装置における表示パネルの展開時の側面図である。
【図５】本発明の実施形態１の表示装置における表示パネルを閉じた状態の側面図である。
【図６】本発明の実施形態１の表示装置における回転支持部の構成を説明するための拡大図である。
【図７】本発明の実施形態２の表示装置における表示パネルの展開時の側面図である。
【発明を実施するための形態】
【００２７】
以下、本発明が適用された実施形態について、図面を用いて説明する。ただし、以下の説明において、同一構成要素には同一符号を付し繰り返しの説明は省略する。
【００２８】
〈実施形態１〉
〈全体構成〉
図１は本発明の実施形態１の表示装置の全体構成を説明するための上面図である。ただし、以下の説明では、液晶パネル（非自発光型の第２表示パネル）の両側（互いに対向する２辺の各々の側）に有機ＥＬパネル（自発光型の第１表示パネル）をそれぞれ１つ配置した合計３個の表示パネルで１つの表示装置を構成する場合について説明するが、表示装置を構成する表示パネル数は３個に限定されることはない。例えば、１つの液晶パネルと、１つの有機ＥＬパネルとを組み合わせて表示装置を構成してもよい。また、図１中に示す２つの有機ＥＬパネルは同一構造の有機ＥＬパネルであるが、その構成位置を特定するために、末尾数字が異なる符号を用いるものである。
【００２９】
特に、図１は本発明の表示装置の展開時を示しており、この図から明らかなように、本発明の実施形態１の表示装置は、１つの液晶パネルＬＰＬと、該液晶パネルの両側にそれぞれ配置される２つの有機ＥＬパネルＯＰＬ１、ＯＰＬ２とから構成されている。このとき、実施形態１の表示装置の展開時（第１の配置状態）においては、図中の点線ＬＣ１で示す液晶パネルＬＰＬの辺縁部と、図中の点線ＯＰ１で示す有機ＥＬパネルＯＰＬ１の辺縁部又は図中の点線ＯＰ２で示す有機ＥＬパネルＯＰＬ２の辺縁部とがそれぞれ重畳して配置される構成となっている。
【００３０】
また、実施形態１の表示装置では、液晶パネルＬＰＬの表示領域ＬＡＲと、有機ＥＬパネルＯＰＬ１の表示領域ＯＡＲ１とが隣接される構成となっている。同様に、液晶パネルＬＰＬの表示領域ＬＡＲと、有機ＥＬパネルＯＰＬ２の表示領域ＯＡＲ２とが隣接される構成となっている。このような構成とすることによって、１つの画像を実施形態１の表示装置に表示させた際に、液晶パネルＬＰＬに表示される画像と有機ＥＬパネルＯＰＬ１に表示される画像、及び液晶パネルＬＰＬに表示される画像と有機ＥＬパネルＯＰＬ２に表示される画像との境界部分に生じる非表示領域を解消させる構成となっている。なお、液晶パネルＬＰＬと有機ＥＬパネルＯＰＬ１、ＯＰＬ２との重畳部における表示領域ＬＡＲ、ＯＡＲ１、ＯＡＲ２の詳細については後述する。
【００３１】
さらには、実施形態１の表示装置においては、表示パネル毎に映像信号及びその制御信号がフレキシブルプリント基板ＦＰＣを介して入力される構成となっており、各表示パネルに配置される駆動回路ＬＤＲ、ＯＤＲがそれぞれの表示パネルに入力される画像信号に基づいて表示を行うことによって、結果的に３個の表示パネルで１つの画像表示を行う構成となっている。
【００３２】
〈液晶パネルの構成〉
次に、図２に本発明の実施形態１の表示装置を構成する液晶パネルの構成を説明するための図を示し、以下、図２に基づいて、実施形態１の表示装置を構成する液晶パネルの構成を説明する。
【００３３】
図２に示すように、画素電極や薄膜トランジスタ等が形成される第１基板（ＴＦＴ側基板）ＳＵＢ１と、該第１基板ＳＵＢ１に対向して配置され、カラーフィルタ（着色層）等が形成される第２基板（対向基板）ＳＵＢ２と、該第１基板ＳＵＢ１と第２基板ＳＵＢ２とで挟持される図示しない液晶層とでパネル部が構成され、このパネル部に光源となる図示しないバックライトユニットとが組み合わされて、実施形態１の表示装置を構成する液晶パネルＬＰＬが形成されている。第１基板ＳＵＢ１と第２基板ＳＵＢ２との固定（固着）及び２枚の基板ＳＵＢ１、ＳＵＢ２で挟持される液晶の封止は、表示領域ＬＡＲの周辺に形成されるシール材ＳＬで固定され、液晶も封止される構成となっている。
【００３４】
第１基板ＳＵＢ１及び第２基板ＳＵＢ２としては、例えば周知のガラス基板に限定されることはなく、石英ガラスやプラスチック（樹脂）のような他の絶縁性基板であってもよい。たとえば、石英ガラスを用いれば、プロセス温度を高くできるため、薄膜トランジスタＴＦＴのゲート絶縁膜を緻密化できるので、該薄膜トランジスタＴＦＴの信頼性を向上することができる。また、プラスチック（樹脂）基板を用いれば、軽量で、耐衝撃性に優れた液晶パネルＬＰＬを形成できる。
【００３５】
また、実施形態１の液晶パネルＬＰＬでは、液晶が封入された領域の内で表示画素（以下、画素と略記する）の形成される領域が表示領域ＬＡＲとなる。従って、液晶が封入されている領域内であっても、画素が形成されておらず表示に係わらない領域は表示領域ＬＡＲとはならない。さらには、実施形態１の液晶パネルＬＰＬでは、第１基板ＳＵＢ１上に搭載される駆動回路ＬＤＲが、映像信号駆動回路と走査信号駆動回路とを有する構成となっている。
【００３６】
また、図２に示すように実施形態１の液晶パネルＬＰＬでは、第１基板ＳＵＢ１の液晶側の面であって表示領域ＬＡＲ内には、図中Ｘ方向に延在しＹ方向に並設される走査線（ゲート線）ＧＬが形成されている。また、図中Ｙ方向に延在しＸ方向に並設される映像信号線（ドレイン線）ＤＬが形成されている。ドレイン線ＤＬとゲート線ＧＬとで囲まれる矩形状の領域は画素が形成される領域を構成し、これにより、各画素は表示領域ＬＡＲ内においてマトリックス状に配置される構成となる。また、第２基板ＳＵＢ２の画素の領域には、赤色（Ｒ）、緑色（Ｇ）、青色（Ｂ）のいずれかの図示しないカラーフィルタが形成される構成となっており、このＲＧＢの各画素でカラー表示用の単位画素を形成する構成となっている。
【００３７】
また、各画素は例えば図２中丸印Ａの部分において、その拡大図Ａ’に示すように、ゲート線ＧＬからの走査信号によってオンされる薄膜トランジスタＴＦＴと、このオンされた薄膜トランジスタＴＦＴを介してドレイン線ＤＬからの映像信号が供給される画素電極ＰＸと、コモン線ＣＬに接続され映像信号の電位に対して基準となる電位を有する基準信号が供給される共通電極ＣＴとを備えている。画素電極ＰＸと共通電極ＣＴとの間には、第１基板ＳＵＢ１の面に平行な成分を有する電界を生じ、この電界によって液晶層の液晶分子を駆動させるようになっている。このような液晶パネルは、いわゆる広視野角表示ができるものとして知られ、このような液晶への電界の印加の特異性から、ＩＰＳ方式、あるいは横電界方式と称される。
【００３８】
また、各ドレイン線ＤＬ及び各ゲート線ＧＬはその端部においてシール材ＳＬを越えてそれぞれ延在され、駆動回路ＬＤＲにそれぞれ接続される構成となっている。なお、実施形態１の液晶パネルＬＰＬでは、駆動回路ＬＤＲを半導体チップで形成し第１基板ＳＵＢ１に搭載する構成としているが、第１基板ＳＵＢ１に直接形成する、又はフレキシブルプリント基板ＦＰＣにテープキャリア方式やＣＯＦ（Ｃｈｉｐ  Ｏｎ  Ｆｉｌｍ）方式で搭載し、第１基板ＳＵＢ１に接続させる構成であってもよい。
【００３９】
〈有機ＥＬパネルの構成〉
次に、図３に本発明の実施形態１の表示装置を構成する有機ＥＬパネルの構成を説明するための図を示し、以下、図３に基づいて、実施形態１の表示装置を構成する有機ＥＬパネルの構成を説明する。ただし、図３に示す実施形態１の有機ＥＬパネルＯＰＬ１は、薄膜トランジスタの形成面すなわち透明基板ＳＵＢを介して発光面が形成されるいわゆるボトムエミッション型の有機ＥＬパネルＯＰＬ１であるが、発光面が封止層ＢＡの側すなわち図３中の上側に形成されるいわゆるトップエミッション型の有機ＥＬパネルであってもよい。
【００４０】
図３に示すように、実施形態１の有機ＥＬパネルＯＰＬ１は透明基板ＳＵＢの素子形成面側に発光素子（有機ＥＬ素子）や薄膜トランジスタ等が形成され、その上層が透明な封止層ＢＡで封止され保護される構成となっている。また、実施形態１の有機ＥＬパネルＯＰＬ１では、発光素子がマトリクス状に配置される領域が表示領域ＯＡＲ１となる。さらには、実施形態１の有機ＥＬパネルＯＰＬ１では、透明基板ＳＵＢ上に搭載される駆動回路ＬＤＲが、映像信号駆動回路、走査信号駆動回路、及び電源回路を有する構成となっている。なお、透明基板ＳＵＢとしては、例えば周知のガラス基板に限定されることはなく、石英ガラスやプラスチック（樹脂）のような他の絶縁性基板であってもよい。特に、プラスチック（樹脂）基板を用いれば、軽量で、耐衝撃性に優れた有機ＥＬパネルＯＰＬ１を形成できる。
【００４１】
また、図３に示すように、実施形態１の有機ＥＬパネルＯＰＬ１では、透明基板ＳＵＢの素子形成面側の表示領域ＡＲ内には、図中Ｘ方向に延在しＹ方向に並設される走査線（ゲート線）ＧＬ及び接地線（グランド線）がそれぞれ形成されている。また、図中Ｙ方向に延在しＸ方向に並設される映像信号線（ドレイン線）ＤＬ及び電源線ＶＧが形成されている。ドレイン線ＤＬとゲート線ＧＬとで囲まれる矩形状の領域には画素となる発光素子画素が形成され、これにより、各画素は表示領域ＯＡＲ１内においてマトリックス状に配置される構成となる。このとき、実施形態１では、赤色（Ｒ）、緑色（Ｇ）、青色（Ｂ）のいずれかの発光素子が所定の順番で形成される構成となっており、このＲＧＢの各画素でカラー表示用の単位画素を形成する構成となっている。
【００４２】
また、各画素は例えば図３中丸印Ｂの部分において、その拡大図Ｂ’に示すように、ゲート線ＧＬからの走査信号によってオンされるスイッチング用薄膜トランジスタＴＦＴ１と、このオンされたスイッチング用薄膜トランジスタＴＦＴ１を介してドレイン線ＤＬからの映像信号が供給される保持容量ＣＰと、この保持容量ＣＰに保持される映像信号に応じて電源線ＶＧから発光素子ＬＥＤに供給する駆動電流を制御する駆動用薄膜トランジスタＴＦＴ２と、駆動電流に応じた発光量で自発光する発光素子（有機ＥＬ素子）ＬＥＤと、発光素子ＬＥＤのカソード側に接続される接地線ＣＬ１とを備えている。
【００４３】
また、各ドレイン線ＤＬ、各ゲート線ＧＬ、電源線ＶＧ、及び接地線ＣＬ１は封止層ＢＡを超えて延在され、駆動回路ＯＤＲにそれぞれ接続される構成となっている。なお、実施形態１の有機ＥＬパネルＯＰＬ１では、駆動回路ＯＤＲを半導体チップで形成し透明基板ＳＵＢに搭載する構成としているが、透明基板ＳＵＢに直接形成する、又はフレキシブルプリント基板ＦＰＣにテープキャリア方式やＣＯＦ（Ｃｈｉｐ  Ｏｎ  Ｆｉｌｍ）方式で搭載し、透明基板ＳＵＢに接続させる構成であってもよい。
【００４４】
〈表示装置の詳細構成〉
図４は本発明の実施形態１の表示装置における表示パネルの展開時（第１の配置状態）の側面図であり、図５は本発明の実施形態１の表示装置における表示パネルを閉じた状態（第２の配置状態）の側面図である。以下、図１〜図５に基づいて、実施形態１の表示装置の詳細構成を説明する。
【００４５】
図４に示すように、実施形態１の表示装置では、液晶パネルＬＰＬが中央に配置され、その両側に有機ＥＬパネルＯＰＬ１、ＯＰＬ２がそれぞれ配置される構成となっている。このとき、実施形態１では、矢印ＤＳＦで示す図４中の上面側が表示画像の出射方向すなわち観察者の方向となっている。従って、液晶パネルＬＰＬ及び有機ＥＬパネルＯＰＬ１、ＯＰＬ２の各表示面も矢印ＤＦＳ方向となっている。
【００４６】
また、前述するように、実施形態１の表示装置では液晶パネルＬＰＬの辺縁部と有機ＥＬパネルＯＰＬ１、ＯＰＬ２の辺縁部とがそれぞれ重畳して配置される構成となっており、特に、液晶パネルＬＰＬの表示面側に有機ＥＬパネルＯＰＬ１、ＯＰＬ２の背面側がそれぞれ重畳される構成となっている。このような重畳を可能とするために、実施形態１の表示装置では、液晶パネルＬＰＬの両端すなわち対向する２辺にそれぞれ回転ヒンジ（１軸ヒンジ）である回転軸（枢支手段）ＲＡ１、ＲＡ２が固定される構成となっている。この回転軸ＲＡ１の矢印ＤＦＳの方向面には有機ＥＬパネルＯＰＬ１の背面が固定され、液晶パネルＬＰＬに対して矢印Ｒ１で示す方向に有機ＥＬパネルＯＰＬ１が回動可能に支持される構成となっている。同様に、回転軸ＲＡ２の矢印ＤＦＳの方向面には有機ＥＬパネルＯＰＬ２の背面が固定され、液晶パネルＬＰＬに対して矢印Ｒ２で示す方向に有機ＥＬパネルＯＰＬ２が回動可能に支持される構成となっている。
【００４７】
また、実施形態１の表示装置では、液晶パネルＬＰＬの表示面側の全面に、透明基板ＳＵＢと同じ屈折率を有する透明なカバー（透過板）ＣＶを配置する構成となっている。このような構成とすることにより、液晶パネルＬＰＬから出射され、有機ＥＬパネルＯＰＬ１、ＯＰＬ２を介して観察者に到達する出射光（表示画像）と、液晶パネルＬＰＬから出射し、有機ＥＬパネルＯＰＬ１、ＯＰＬ２を介することなく直接観察者に到達する出射光（表示画像）との屈折率の変化を防止するという格別の効果を得ることが可能となる。さらには、カバーＣＶを透明基板ＳＵＢと同じ厚さで形成することにより、展開時の表示装置の前面を平坦にさせることができるので、画面表面への写り込み等に伴う使用時の違和感を大幅に低減させることが可能となる。ただし、本願発明では、カバーＣＶを設けない構成であってもよい。
【００４８】
また、図４に示すように、液晶パネルＬＰＬの両端に配置される回転軸ＲＡ１、ＲＡ２の回転中心軸間の距離をＷＬ、有機ＥＬパネルＯＰＬ１の端部（図４中の左端）から回転軸ＲＡ１の回転中心軸までの距離をＷＬ１、有機ＥＬパネルＯＰＬ２の端部（図４中の右端）から回転軸ＲＡ２の回転中心軸までの距離をＷＬ２とした場合、距離ＷＬ１は有機ＥＬパネルＯＰＬ１の図４中の左右方向の幅よりも小さな値となる。また、距離ＷＬ２も有機ＥＬパネルＯＰＬ２の左右方向の幅よりも小さな値となる。これにより、第１基板と第２基板とを固定するシール材が形成されるために、液晶パネルＬＰＬの非表示領域となる部分に有機ＥＬパネルＯＰＬ１、ＯＰＬ２を重畳させる構成としている。
【００４９】
また、図５に示すように、本実施形態１の表示装置では、有機ＥＬパネルＯＰＬ１、ＯＰＬ２を共に閉じた状態では、液晶パネルＬＰＬの背面側と有機ＥＬパネルＯＰＬ１、ＯＰＬ２の背面側とが対向するように、液晶パネルＬＰＬの背面側に有機ＥＬパネルＯＰＬ１、ＯＰＬ２が収納される構成となっている。すなわち、実施形態１の表示装置では、距離ＷＬ１と距離ＷＬ２との合計よりも回転中心軸間の距離ＷＬが大きく、閉じた状態での有機ＥＬパネルＯＰＬ１、ＯＰＬ２間の距離をＨとした場合、ＷＬ＝ＷＬ１＋ＷＬ２＋Ｈである。
【００５０】
また、実施形態１の表示装置では、有機ＥＬパネルＯＰＬ１、ＯＰＬ２を共に閉じた状態では、有機ＥＬパネルＯＰＬ１、ＯＰＬ２の表示面側が図５中の下面側となるので、液晶パネルＬＰＬによる図５中の上側に対する画像表示と、有機ＥＬパネルＯＰＬ１、ＯＰＬ２による図５中の下側に対する画像表示とを同時に行うことが可能である。このときの画像表示では、液晶パネルＬＰＬと有機ＥＬパネルＯＰＬ１、ＯＰＬ２との画像表示は異なる画像表示であっても、同じ画像であってもよい。
【００５１】
〈重畳部の詳細構成〉
図６は本発明の実施形態１の表示装置における液晶パネルと有機ＥＬパネルとの重畳部の詳細構成を説明するための拡大図であり、以下、図６に基づいて液晶パネルと有機ＥＬパネルとの配置条件を説明する。
【００５２】
前述するように、液晶パネルＬＰＬでは表示領域ＬＡＲの外周部分に額縁と称される非表示領域ＬＮＤＡが形成されている。この非表示領域ＬＮＤＡは、第１基板ＳＵＢ１と第２基板ＳＵＢとを固定すると共に、液晶層ＬＣシール材が配置される領域であり、バックライト光が漏れるのを防止するためにブラックマトリクスＢＭが形成されている。このため、液晶パネルＬＰＬの非表示領域ＬＮＤＡでは背面側から光が透過しない構成となっていると共に、有機ＥＬパネルＯＰＬ１の非表示領域ＯＮＤＡよりも大きな領域となっている。
【００５３】
一方、有機ＥＬパネルＯＰＬ１においても、表示領域ＯＡＲ１の外周部分に額縁と称される非表示領域ＯＮＤＡが形成されているが、透明基板ＳＵＢ上に形成した電極薄膜や薄膜トランジスタを含む有機発光層ＯＬＥＤを透明な封止層ＢＡで封止する構成となっているので、非表示領域ＯＮＤＡでも背面側からの光が透過する構成となっている。
【００５４】
これにより、実施形態１の表示装置においては、液晶パネルＬＰＬの表示面側に有機ＥＬパネルＯＰＬ１を配置する構成としている。このとき、実施形態１の表示装置では、液晶パネルＬＰＬに表示される画像と有機ＥＬパネルＯＰＬ１に表示される画像との境に非表示領域が出来ないようにするために、２点鎖線で示す境界Ａ１において、液晶パネルＬＰＬの表示領域ＬＡＲの端部と、有機ＥＬパネルＯＰＬ１の表示領域ＯＡＲ１の端部とが接する配置となっている。換言すると、重畳部において、液晶パネルＬＰＬの表示領域ＬＡＲと非表示領域ＬＮＤＡとの境界部は、有機ＥＬパネルＯＰＬ１の表示領域ＯＡＲ１と非表示領域ＯＮＤＡとの境界部と一致している。
【００５５】
すなわち、実施形態１の表示装置では、展開時においては、液晶パネルＬＰＬの端部と有機ＥＬパネルＯＰＬ１の端部との重畳部の内で、２点鎖線で示す液晶パネルＬＰＬの端部Ａ２と境界Ａ１との間では、有機ＥＬパネルＯＰＬ１の表示領域ＯＡＲ１の背面側に液晶パネルＬＰＬの非表示領域ＬＮＤＡが配置される構成とする。これにより、液晶パネルＬＰＬの非表示部ＬＮＤＡにおける画像表示を有機ＥＬパネルＯＰＬ１の表示で補う構成としている。
【００５６】
一方、２点鎖線で示す有機ＥＬパネルＯＰＬ１の端部Ａ３と境界Ａ１との間では、有機ＥＬパネルＯＰＬ１の非表示領域ＯＮＤＡの背面側に液晶パネルＬＰＬの表示領域ＬＡＲを配置する構成とする。このとき、実施形態１の有機ＥＬパネルＯＰＬ１では、透明基板ＳＵＢを透明な封止層ＢＡで覆う構成としているので、有機ＥＬパネルＯＰＬ１の背面側に配置した液晶パネルＬＰＬの画像表示を、有機ＥＬパネルＯＰＬ１の非表示部ＯＮＤＡを介して画像表示させることができる。これにより、有機ＥＬパネルＯＰＬ１の非表示部ＯＮＤＡにおける画像表示を液晶パネルＬＰＬの表示で補う構成としている。
【００５７】
このように、実施形態１の表示装置における回転軸ＲＡ１の配置領域では、展開時における液晶パネルＬＰＬの面方向と、有機ＥＬパネルＯＰＬ１の面方向とが平行となるように、液晶パネルＬＰＬの側面（側壁面）部分に配置した回転軸ＲＡ１の周側面部分に有機ＥＬパネルＯＰＬ１の背面が配置される構成となっている。その結果、非表示領域ＬＮＤＡを有する液晶パネルＬＰＬと有機ＥＬパネルＯＰＬ１、ＯＰＬ２とを並設して構成される表示装置であっても、各表示パネルの境界部分に非表示領域ができてしまうことを防止できるので、表示画像の品質を向上させることができる。
【００５８】
〈実施形態２〉
図７は本発明の実施形態２の表示装置の概略構成を説明するための展開時の側面図であり、以下、図７に基づいて、実施形態２の表示装置の構成を説明する。ただし、実施形態２の表示装置は、１つの有機ＥＬパネルと２つの液晶パネルとの配置位置、及び回転軸の配置位置を除く他の構成は実施形態１の表示装置と同様の構成である。従って、以下の説明では、有機ＥＬパネルと液晶パネル、及び回転軸の配置位置について、詳細に説明する。
【００５９】
図７から明らかように、実施形態２の表示装置では、有機ＥＬパネルＯＰＬが中央に配置され、その両側に液晶パネルＬＰＬ１、ＬＰＬ２がそれぞれ配置される構成となっている。このとき、実施形態１と同様に、矢印ＤＳＦで示す図７中の上面側が表示画像の出射方向すなわち観察者による観察位置方向となっている。従って、有機ＥＬパネルＯＰＬ及び液晶パネルＬＰＬ１、ＬＰＬ２の各表示面も矢印ＤＦＳ方向となっている。
【００６０】
実施形態２の表示装置では、有機ＥＬパネルＯＰＬの辺縁部と液晶パネルＬＰＬ１、ＬＰＬ２の辺縁部とがそれぞれ重畳して配置される構成となっており、実施形態１と同様に、液晶パネルＯＰＬ１、ＯＰＬ２の表示面側に有機ＥＬパネルＯＰＬの背面側が重畳される構成とし、その表示領域が一致すように配置している。このような重畳を可能とするために、実施形態２の表示装置では、有機ＥＬパネルＯＰＬの両端すなわち対向する２辺にそれぞれ回転ヒンジ（１軸ヒンジ）である回転軸（枢支手段）ＲＡ１、ＲＡ２が固定される構成となっている。この回転軸ＲＡ１の矢印ＤＦＳと反対の方向面には液晶パネルＬＰＬ１、ＬＰＬ２の表面（表示面）側が固定され、有機ＥＬパネルＯＰＬに対して矢印Ｒ１、Ｒ２で示す方向に液晶パネルＬＰＬ１、ＬＰＬ２が回動可能に支持される構成となっている。
【００６１】
このとき、実施形態２の表示装置においても、展開時においては、液晶パネルＬＰＬ１、ＬＰＬ２の端部と有機ＥＬパネルＯＰＬの端部との重畳部では、有機ＥＬパネルＯＰＬの表示領域の背面側に液晶パネルＬＰＬ１、ＬＰＬ２の非表示領域が配置される構成とする。これにより、実施形態１と同様に、液晶パネルＬＰＬ１、ＬＰＬ２の非表示部における画像表示を有機ＥＬパネルＯＰＬの表示で補う構成としている。
【００６２】
さらには、有機ＥＬパネルＯＰＬの非表示領域の背面側に液晶パネルＬＰＬ１、ＬＰＬ２の表示領域を配置する構成としている。これにより、実施形態２の有機ＥＬパネルＯＰＬでは、透明基板ＳＵＢを透明な封止層ＢＡで覆う構成としているので、有機ＥＬパネルＯＰＬの背面側に配置した液晶パネルＬＰＬ１、ＬＰＬ２の画像表示を、有機ＥＬパネルＯＰＬの非表示部を介して画像表示させる構成としている。これにより、実施形態１と同様に、有機ＥＬパネルＯＰＬの非表示部における画像表示を液晶パネルＬＰＬ１、ＬＰＬ２の表示で補う構成としている。
【００６３】
また、実施形態２の表示装置では、液晶パネルＬＰＬ１、ＬＰＬ２の表示面側に、透明基板ＳＵＢと同じ屈折率を有する透明なカバー（透過板）ＣＶがそれぞれ配置される構成となっている。このような構成とすることにより、実施形態１と同様に、液晶パネルＬＰＬ１、ＬＰＬ２から出射され、有機ＥＬパネルＯＰＬを介して観察者に到達する出射光（表示画像）と、液晶パネルＬＰＬ１、ＬＰＬ２から出射し、有機ＥＬパネルＯＰＬを介することなく直接観察者に到達する出射光（表示画像）との屈折率の変化を防止している。さらには、カバーＣＶを透明基板ＳＵＢと同じ厚さで形成することにより、展開時の表示装置の前面を平坦にさせることができるので、実施形態１と同様に、画面表面への写り込み等に伴う使用時の違和感を大幅に低減させることが可能となる。ただし、実施形態２においても、カバーＣＶを設けない構成であってもよい。
【００６４】
また、図７に示すように、有機ＥＬパネルＯＰＬの両端に配置される回転軸ＲＡ１、ＲＡ２をそれぞれ回転中心軸として矢印Ｒ１、Ｒ２に示す方向に回転させることにより、液晶パネルＬＰＬ１、ＬＰＬ２の表示面と有機ＥＬパネルＯＰＬの表示面とを対向して閉じることができるので、前述する実施形態１の表示装置の効果に加えて、液晶パネルＬＰＬ１、ＬＰＬ２を閉じた状態（第３の配置状態）では、それぞれの表示面を保護できるという格別の効果を得ることができる。
【００６５】
以上、本発明者によってなされた発明を、前記発明の実施形態に基づき具体的に説明したが、本発明は、前記発明の実施形態に限定されるものではなく、その要旨を逸脱しない範囲において種々変更可能である。
【符号の説明】
【００６６】
ＬＰＬ、ＬＰＬ１、ＬＰＬ２……液晶パネル、
ＯＰＬ、ＯＰＬ１、ＯＰＬ２……有機ＥＬパネル
ＬＣ１……液晶パネルの辺縁部、ＯＰ１、ＯＰ２……有機ＥＬパネルの辺縁部
ＬＡＲ……液晶パネルの表示領域、ＦＰＣ……フレキシブルプリント基板
ＯＡＲ１、ＯＡＲ２……有機ＥＬパネルの表示領域
ＬＤＲ……液晶パネルの駆動回路、ＯＤＲ……有機ＥＬパネルの駆動回路
ＳＵＢ……透明基板、ＳＵＢ１……第１基板、ＳＵＢ２……第２基板、
ＤＬ……ドレイン線、ＧＬ……ゲート線、ＣＬ……コモン線、ＳＬ……シール材
ＴＦＴ……薄膜トランジスタ、ＰＸ……画素電極、ＣＴ……共通電極
ＴＦＴ１……スイッチング用薄膜トランジスタ、ＣＰ……保持容量、ＶＧ……電源線
ＬＥＤ……発光素子ＬＥＤ、ＴＦＴ２……駆動用薄膜トランジスタ、ＣＬ１……接地線
ＢＡ……封止層、ＲＡ１、ＲＡ２……回転軸、ＣＶ……カバー（透過板）
ＢＭ……ブラックマトリクス、ＬＣ……液晶層
【図１】
2011033971.tif 000003
【図２】
2011033971.tif 000004
【図３】
2011033971.tif 000005
【図４】
2011033971.tif 000006
【図５】
2011033971.tif 000007
【図６】
2011033971.tif 000008
【図７】
2011033971.tif 000009